(57)【要約】【課題】取り扱い性に優れる風呂蓋２の提供。【解決手段】この風呂蓋２は、巻き取り可能な蓋部材６と、並列された複数の硬質な骨８とを備えている。これら骨８は、この蓋部材６に取り付けられている。好ましくは、この風呂蓋２では、上記骨８の端１８は上記蓋部材６の外縁１４よりも内側に位置している。好ましくは、この風呂蓋２では、その長さ方向において、外側に位置する上記骨８は上記蓋部材６の外縁１４よりも内側に位置している。好ましくは、この風呂蓋２では、上記蓋部材６は発泡シート、ラミネートシート又は樹脂シートからなる。好ましくは、この風呂蓋２では、上記蓋部材６は透明な樹脂シートからなる。この風呂蓋２では、巻き取り可能な蓋部材６が硬質な骨８で支持されているから、老人及び子供のように力が弱い者でも、この風呂蓋２を容易に取り扱うことができる。【選択図】図１
2010000121.tif 000002
【特許請求の範囲】
【請求項１】
巻き取り可能な蓋部材と、並列された複数の硬質な骨とを備えており、
これら骨が、この蓋部材に取り付けられている風呂蓋。
【請求項２】
上記骨の端が、上記蓋部材の外縁よりも内側に位置している請求項１に記載の風呂蓋。
【請求項３】
その長さ方向において、外側に位置する上記骨が、上記蓋部材の外縁よりも内側に位置している請求項１又は２に記載の風呂蓋。
【請求項４】
上記蓋部材が、発泡シート、ラミネートシート又は樹脂シートからなる請求項１から３のいずれかに記載の風呂蓋。
【請求項５】
上記蓋部材が、透明な樹脂シートからなる請求項４に記載の風呂蓋。
【請求項６】
巻き取り可能な蓋部材と、複数の硬質な骨と、接合部材とを備えている風呂蓋の組み立てセット。
【発明の詳細な説明】
【技術分野】
【０００１】
本発明は、風呂蓋に関する。
【背景技術】
【０００２】
浴槽が使用されていないとき、湯の保温の観点から、風呂蓋が使用される。入浴時には、風呂蓋は浴槽から外され浴室内の片隅に静置される。このとき、風呂蓋が浴室内のスペースを阻害するから、その置き場所に困ることが多い。
【０００３】
特開２００４−１７４１２３公報に、床マットを兼ねる風呂蓋が開示されている。この風呂蓋は、柔軟性を有するマット部材と滑り止めとが組み合わされて構成されている。
【特許文献１】特開２００４−１７４１２３公報
【発明の開示】
【発明が解決しようとする課題】
【０００４】
市販されている風呂蓋は、硬質でしかも重い。このような風呂蓋は、老人及び子供のように力が弱い者にとって、取り扱いにくい。
【０００５】
その質量が大きい風呂蓋の乾燥は、容易ではない。不充分な乾燥は、カビを発生させる。カビの発生は、浴室の衛生環境を阻害してしまう。この風呂蓋では、その洗浄も困難を極める。
【０００６】
入浴時において、風呂蓋が丸められ浴室の壁に立てかけられる場合がある。立てかけられた風呂蓋は、転倒しやすい。その質量が重い風呂蓋が倒れて利用者に当たると、この利用者が怪我をする場合がある。
【０００７】
この風呂蓋では、そのサイズが浴槽のサイズと一致しない場合もある。この場合、浴槽が完全に塞がれないから、湯の保温ができないばかりか、浴室内に結露が生じる。この結露は、カビの発生を促す。硬質な風呂蓋の加工は困難であるから、浴槽のサイズに合わせてこの風呂蓋のサイズを調整することも容易ではない。
【０００８】
本発明の目的は、取り扱い性に優れる風呂蓋の提供にある。
【課題を解決するための手段】
【０００９】
本発明の一実施形態に係る風呂蓋は、巻き取り可能な蓋部材と、並列された複数の硬質な骨とを備えている。これら骨は、この蓋部材に取り付けられている。
【００１０】
好ましくは、この風呂蓋では、上記骨の端は上記蓋部材の外縁よりも内側に位置している。
【００１１】
好ましくは、この風呂蓋では、その長さ方向において、外側に位置する上記骨は上記蓋部材の外縁よりも内側に位置している。
【００１２】
好ましくは、この風呂蓋では、上記蓋部材は発泡シート、ラミネートシート又は樹脂シートからなる。
【００１３】
好ましくは、この風呂蓋では、上記蓋部材は透明な樹脂シートからなる。
【００１４】
本発明の他の実施形態に係る風呂蓋の組み立てセットは、巻き取り可能な蓋部材と、複数の硬質な骨と、接合部材とを備えている。
【発明の効果】
【００１５】
本発明に係る風呂蓋では、巻き取り可能な蓋部材が硬質な骨で支持されているから、この風呂蓋で浴槽を塞ぐことも、この浴槽からこの風呂蓋を取り外すことも容易である。老人及び子供のように力が弱い者でも、この風呂蓋を容易に取り扱うことができる。この風呂蓋はコンパクトに巻き取られうるから、入浴時にこの風呂蓋の置き場所に困ることもない。この風呂蓋の持ち運びが容易であるから、使用後この風呂蓋を屋外で乾燥することもできる。柔軟な蓋部材は浴槽の縁に沿いやすいから、この風呂蓋は浴槽を密閉しうる。この縁と風呂蓋との間に存在する水分がその表面張力により水膜を形成するから、密閉性がさらに高められる。この風呂蓋は、結露及びカビの発生を防止しうる上に、湯の保温に効果的に寄与しうる。蓋部材が軟質であるから、この風呂蓋が利用者に当たってもこの利用者が怪我をすることもない。この風呂蓋の加工が容易であるから、そのサイズを浴槽のサイズに適合させることも容易である。この風呂蓋は、取り扱い性に優れる。
【発明を実施するための最良の形態】
【００１６】
以下、適宜図面が参照されつつ、好ましい実施形態に基づいて本発明が詳細に説明される。
【００１７】
図１（ａ）は本発明の一実施形態に係る風呂蓋２が示された平面図であり、図１（ｂ）はその正面図である。この図１には、風呂蓋２が浴槽４に使用されている状態が示されている。この浴槽４は、風呂蓋２で塞がれている。なお、この図１において、左右方向がこの風呂蓋２の長さ方向である。図１（ａ）において、上下方向がこの風呂蓋２の幅方向である。図１（ｂ）において、紙面に対して垂直な方向がこの風呂蓋２の幅方向である。図示されているように、この長さ方向は浴槽４の長さ方向と一致している。この幅方向は、浴槽４の幅方向と一致している。この風呂蓋２では、その長さ方向長さは幅方向長さよりも長い。この風呂蓋２が、その幅方向長さが長さ方向長さよりも長くなるように構成されてもよい。
【００１８】
風呂蓋２は、蓋部材６と、複数の骨８とを備えている。蓋部材６は、シート状である。この蓋部材６は、略矩形である。この蓋部材６は、浴槽４の内槽１０の部分を覆うのに充分な大きさを有している。
【００１９】
蓋部材６は、骨８よりも軟らかい。この蓋部材６は、軟質である。この蓋部材６は、荷重をかけると容易に変形する。この蓋部材６は、巻き取り可能である。
【００２０】
複数の骨８は、蓋部材６に載せられている。これら骨８は、蓋部材６の上面に取り付けられている。これら骨８は、並列されている。一の骨８の長さ方向外側に、他の骨８が間隔を空けて位置している。図示されているように、この風呂蓋２では、これら骨８は等間隔で配置されている。
【００２１】
この風呂蓋２では、複数の骨８のそれぞれは、幅方向に延在している。この風呂蓋２の幅方向と骨８の長さ方向とが一致するように、骨８が蓋部材６に取り付けられている。この骨８が、風呂蓋２の長さ方向に延在するように蓋部材６に取り付けられてもよい。
【００２２】
骨８は、上記蓋部材６よりも硬い。この骨８は、硬質である。この骨８は、蓋部材６を支持している。この風呂蓋２では、複数の骨８のいずれかが軸とされ、蓋部材６がこの軸に容易に巻かれうる。
【００２３】
図２は、図１のII−II線に沿った断面図である。この図２において、左右方向が風呂蓋２の幅方向であり、紙面に対して垂直な方向が風呂蓋２の長さ方向である。図示されているように、蓋部材６と骨８との間に接合部材１２が位置している。換言すれば、この風呂蓋２は接合部材１２をさらに備えている。接合部材１２は、蓋部材６と骨８とを接合する。この風呂蓋２では、この接合部材１２により、骨８は蓋部材６に取り付けられている。この接合部材１２としては、両面テープ及び接着剤が例示される。
【００２４】
この風呂蓋２では、使用状態において、蓋部材６の外縁１４の側の部分（以下、外縁部分）が浴槽４の縁１６に載せられる。この風呂蓋２では、蓋部材６と浴槽４の縁１６とが蓋部材６の厚み方向に重なり合っている。この蓋部材６は、浴槽４の内槽１０を覆う。この蓋部材６は、内槽１０を塞いでいる。この風呂蓋２では、浴槽４が密閉されるから、湯が効果的に保温される。浴室内への湯気の放散が抑えられるから、結露が効果的に防止されうる。結露の防止は、カビの発生も抑制しうる。この風呂蓋２は、浴室の衛生環境を適切に維持しうる。
【００２５】
この風呂蓋２では、蓋部材６が軟質であるから、蓋部材６が浴槽４の縁１６に沿いやすい。蓋部材６とこの縁１６とが良好に密着しうるから、浴槽４がこの風呂蓋２により効果的に密閉されうる。この風呂蓋２によれば、湯が効果的に保温される。浴室内への湯気の放散が抑えられるから、結露が効果的に防止されうる。結露の防止は、カビの発生を抑制しうる。この風呂蓋２は、浴室の衛生環境を適切に維持しうる。
【００２６】
この風呂蓋２では、蓋部材６と浴槽４の縁１６との間に存在する水分（図示されず）がその表面張力により水膜を形成しうる。この水膜は、上記密閉性をさらに高める。この風呂蓋２では、湯が効果的に保温される。浴室内への湯気の放散が抑えられるから、結露が効果的に防止されうる。結露の防止は、カビの発生を抑制しうる。この風呂蓋２は、浴室の衛生環境を適切に維持しうる。
【００２７】
この風呂蓋２では、幅方向において骨８の端１８が蓋部材６の外縁１４と一致するように、この骨８が蓋部材６に取り付けられてもよい。この風呂蓋２では、図２に示されているように、骨８の端１８が蓋部材６の外縁１４よりも内側に位置しているのがより好ましい。このような風呂蓋２は、特にこの蓋部材６の外縁部分の柔軟性に優れる。この外縁部分が浴槽４の縁１６に沿いやすいから、蓋部材６とこの縁１６とが良好に密着しうる。この柔軟性は、上記水膜の形成にも寄与しうる。この風呂蓋２は、密閉性に優れる。この風呂蓋２では、湯が効果的に保温される。浴室内への湯気の放散が抑えられるから、結露が効果的に防止されうる。結露の防止は、カビの発生を抑制しうる。この風呂蓋２は、浴室の衛生環境を適切に維持しうる。
【００２８】
図２に示されているように、この風呂蓋２では、骨８の端１８は浴槽４の縁１６の内端２０より外側に位置している。この骨８は、蓋部材６を支持しつつ浴槽４の縁１６に載せられている。この骨８は、風呂蓋２の使用状態を維持しうる。この風呂蓋２では、密閉性が保持されるから、湯の保温状態が維持される。結露及びカビの発生が効果的に防止されるから、この風呂蓋２は浴室の衛生環境を適切に維持しうる。
【００２９】
この風呂蓋２では、長さ方向において外側に位置する骨８の側片２２が蓋部材６の外縁１４と一致するように、この骨８が蓋部材６に取り付けられてもよい。この風呂蓋２では、図１に示されているように、長さ方向において外側に位置する骨８が蓋部材６の外縁１４よりも内側に位置しているのがより好ましい。このような風呂蓋２では、特に蓋部材６の外縁部分の柔軟性に優れる。この風呂蓋２では、この外縁部分が浴槽４の縁１６に沿いやすいから、蓋部材６とこの縁とが良好に密着しうる。この柔軟性は、上記水膜の形成にも寄与しうる。この風呂蓋２は、密閉性に優れる。この風呂蓋２では、湯が効果的に保温される。浴室内への湯気の放散が抑えられるから、結露が効果的に防止されうる。結露の防止は、カビの発生を抑制しうる。この風呂蓋２は、浴室の衛生環境を適切に維持しうる。
【００３０】
この風呂蓋２では、軟質な蓋部材６が硬質な骨８で支持されているから、この風呂蓋２で浴槽４を塞ぐことも、この浴槽４からこの風呂蓋２を取り外すことも容易である。老人及び子供のように力が弱い者でも、この風呂蓋２を容易に取り扱うことができる。このような風呂蓋２は、容易に洗浄されうる。この風呂蓋２は、取り扱い性に優れる。
【００３１】
後述するが、この風呂蓋２は軽量でもあるから、物干し竿に吊り下げて乾燥することもできる。この風呂蓋２の持ち運びが容易であるから、使用後この風呂蓋２を屋外で乾燥することもできる。この風呂蓋２は、取り扱い性に優れる。この風呂蓋２では、カビの発生が防止されるから、浴室内の衛生環境が適切に維持されうる。
【００３２】
この風呂蓋２では、蓋部材６が軟質であるから、この風呂蓋２はコンパクトに巻き取られうる。この風呂蓋２では、入浴時にその置き場所に困ることもない。この風呂蓋２によれば、浴室内のスペースの有効利用が可能である。この風呂蓋２は、取り扱い性に優れる。
【００３３】
この風呂蓋２では、蓋部材６が軟質であるから、その加工が容易である。この風呂蓋２では、そのサイズが浴槽４のサイズに容易に適合されうる。この風呂蓋２は、取り扱い性に優れる。この風呂蓋２では、浴槽４が効果的に密閉されうるから、湯が効果的に保温される。浴室内への湯気の放散が抑えられるから、結露が効果的に防止されうる。結露の防止は、カビの発生を抑制しうる。この風呂蓋２は、浴室の衛生環境を適切に維持しうる。
【００３４】
この風呂蓋２は軽量であり、しかもその蓋部材６が軟質であるから、この風呂蓋２が利用者に当たっても、この利用者が怪我をすることもない。この風呂蓋２によれば、不測の事故が未然に防止される。
【００３５】
この風呂蓋２では、蓋部材６には入手が容易な市販のシートが用いられうる。柔軟性及び軽量の観点から、この蓋部材６は、多数の気泡を含む発泡シート、この発泡シートにフィルム状のアルミニウム合金等が積層されたラミネートシート又は熱可塑性樹脂から形成される樹脂シートからなるのが好ましい。特に、この蓋部材６に透明な樹脂シートが用いられた場合、上記水膜の形成が容易に視認されうる。密閉状態が容易に確認できるという観点から、この蓋部材６は透明な樹脂シートからなるのが好ましい。この透明な樹脂シートの材質としては、ポリエチレン、ポリプロピレン、ポリスチレン、エチレン−酢酸ビニル共重合体、ポリ塩化ビニル等が挙げられる。
【００３６】
この風呂蓋２では、骨８には、その断面形状が半円である棒材、角棒、中空の角棒、板材等が用いられうる。蓋部材６への取付が容易であるという観点から、この骨８としては、角棒及び板が好ましい。入手が容易でありしかも軽量であるという観点から、この骨８としては熱可塑性樹脂からなる角パイプがさらに好ましい。この熱可塑性樹脂としては、ポリエチレン、ポリプロピレン、ポリスチレン、エチレン−酢酸ビニル共重合体、ポリ塩化ビニル等が例示される。
【００３７】
この風呂蓋２では、蓋部材６は骨８よりも薄い。少ない厚みを有する蓋部材６は、柔軟でしかも軽量である。このような蓋部材６を有する風呂蓋２は、取り扱い性に優れる。過小な厚みは、風呂蓋２の強度を阻害してしまう。このような観点から、この蓋部材６が上記発泡シートである場合、その厚み（図２中の両矢印線ＴＡ）は２ｍｍ以上であるのが好ましく、４ｍｍ以下であるのが好ましい。この蓋部材６が上記樹脂シートである場合、この厚みＴＡは０．１ｍｍ以上がより好ましく０．４ｍｍ以下が好ましい。
【００３８】
この風呂蓋２の質量は、好ましくは５００ｇ以下である。前述したように、この風呂蓋２は軽量である。この風呂蓋２は、市販されている従来の風呂蓋２よりも軽い。この風呂蓋２は、取り扱い性に優れる。老人及び子供のような力の弱い者でも、この風呂蓋２を容易に取り扱うことができる。このような観点から、この質量は４００ｇ以下であるのが好ましく、３５０ｇ以下であるのがより好ましい。なお、この質量は小さいほど好ましいから、その下限値は定めていない。
【００３９】
図１（ａ）において、両矢印線ＤＬは蓋部材６の幅方向に延在する外縁１４から長さ方向外側に位置する骨８ａまでの距離を表している。両矢印線ＤＷは、蓋部材６の長さ方向に延在する外縁１４から骨８の端１８までの距離を表している。
【００４０】
この風呂蓋２では、距離ＤＬは１ｃｍ以上１５ｃｍ以下であるのが好ましい。この距離ＤＬが１ｃｍ以上に設定されることにより、この風呂蓋２が浴槽４を効果的に密閉しうる。この風呂蓋２によれば、湯が効果的に保温される。浴室内への湯気の放散が抑えられるから、結露が効果的に防止されうる。結露の防止は、カビの発生を抑制しうる。この風呂蓋２は、浴室の衛生環境を適切に維持しうる。この観点から、この距離ＤＬは２ｃｍ以上がより好ましい。この距離ＤＬが１５ｃｍ以下に設定されることにより、風呂蓋２の良好な取り扱い性が維持されうる。この観点から、この距離ＤＬは１０ｃｍ以下がより好ましい。
【００４１】
この風呂蓋２では、距離ＤＷは５ｍｍ以上１５ｍｍ以下であるのが好ましい。この距離ＤＷが１ｃｍ以上に設定されることにより、この風呂蓋２が浴槽４を効果的に密閉しうる。この風呂蓋２によれば、湯が効果的に保温される。浴室内への湯気の放散が抑えられるから、結露が効果的に防止されうる。結露の防止は、カビの発生を抑制しうる。この風呂蓋２は、浴室の衛生環境を適切に維持しうる。この観点から、この距離ＤＷは７ｍｍ以上がより好ましい。この距離ＤＷが１５ｃｍ以下に設定されることにより、風呂蓋２の良好な取り扱い性が維持されうる。この観点から、この距離ＤＷは１２ｍｍ以下がより好ましい。
【００４２】
図３は、本発明の他の実施形態に係る風呂蓋の組み立てセット２４が示された斜視図である。この組み立てセット２４は、蓋部材２６と、複数の骨２８と、接合部材としての両面テープ３０とを備えている。この組み立てセット２４は、図１の風呂蓋２と同等の風呂蓋が得られるように構成されている。この蓋部材２６は、軟質である。この蓋部材２６は、巻き取り可能である。この蓋部材２６は、透明の樹脂シート又は発泡シートである。これら骨２８のそれぞれは、中空の角パイプである。この骨２８は、熱可塑性樹脂からなる。図示されているように、この骨２８には、多数の折れ目３２が設けられている。これら折れ目３２は、この骨２８の端３４の部分（骨２８の端３４から約１０ｃｍまでの部分）に、等間隔に形成されている。この骨８は、折れ目３２で容易に切断されうる。
【００４３】
この組み立てセット２４では、風呂蓋は次のようにして組み立てられる。蓋部材２６が、切断され、浴槽の形状に合わせられる。この蓋部材２６は軟質であるから、ハサミ及びカッターのような切断具により容易に切断される。
【００４４】
この組み立てセット２４では、骨２８の長さがその折れ目３２で切断されつつ調整される。この長さが調整された骨２８の側片３６に、両面テープ３０が貼られ、蓋部材２６に取り付けられる。全ての骨２８が、蓋部材２６に取り付けられ、風呂蓋が得られる。
【００４５】
この組み立てセット２４では、蓋部材２６が軟質でありしかも骨２８に折れ目３２が形成されているから、この風呂蓋の加工が容易である。この風呂蓋のサイズが、浴槽のそれに合わせて容易に調整されうる。この風呂蓋は、取り扱い性に優れる。
【００４６】
この組み立てセット２４では、蓋部材２６が浴槽のサイズよりも大きなサイズで準備され、この蓋部材２６に全ての骨２８が取り付けられた後に、この蓋部材２６のサイズが浴槽のサイズに合わせられるのが好ましい。このような風呂蓋では、そのサイズが浴槽のサイズに容易に調整されうる。サイズ調整が容易であるという観点から、この蓋部材２６に取り付けられた骨２８のうち、長さ方向外側に配置される骨２８の外側の側片３６から、蓋部材２６の外縁３８までの距離は、１０ｃｍ以上とされるのが好ましい。取り扱い性の観点から、この距離は２０ｃｍ以下とされるのが好ましい。サイズ調整が容易であるという観点から、蓋部材２６に取り付けられる骨２８の端３４から蓋部材２６の外縁３８までの距離は、５ｍｍ以上とされるのが好ましい。取り扱い性の観点から、この距離は１５ｍｍ以下とされるのが好ましい。
【００４７】
このようにして組み立てられた風呂蓋では、軟質な蓋部材２６が硬質な骨２８で支持されるから、この風呂蓋で浴槽を塞ぐことも、この浴槽からこの風呂蓋を取り外すことも容易である。老人及び子供のように力が弱い者でも、この風呂蓋を容易に取り扱うことができる。この風呂蓋は、容易に洗浄されうる。この風呂蓋は、取り扱い性に優れる。
【００４８】
この風呂蓋は軽量であるから、物干し竿に吊り下げて乾燥することもできる。この風呂蓋の持ち運びが容易であるから、使用後この風呂蓋を屋外で乾燥することもできる。この風呂蓋は、取り扱い性に優れる。この風呂蓋では、カビの発生が防止されるから、浴室内の衛生環境が適切に維持されうる。
【００４９】
この風呂蓋では、蓋部材２６が軟質であるから、この風呂蓋はコンパクトに巻き取られうる。この風呂蓋では、入浴時にその置き場所に困ることもない。この風呂蓋によれば、浴室内のスペースの有効利用が可能である。この風呂蓋は、取り扱い性に優れる。
【００５０】
この風呂蓋では、軽量でしかもその蓋部材２６が軟質であるから、この風呂蓋が利用者に当たっても、この利用者が怪我をすることもない。この風呂蓋によれば、不測の事故が未然に防止される。
【産業上の利用可能性】
【００５１】
本発明は、様々な浴槽に適用されうる。
【図面の簡単な説明】
【００５２】
【図１】図１（ａ）は本発明の一実施形態に係る風呂蓋が示された平面図であり、図１（ｂ）はその正面図である。
【図２】図２は、図１のII−II線に沿った断面図である。
【図３】図３は、本発明の他の実施形態に係る風呂蓋の組み立てセットが示された斜視図である。
【符号の説明】
【００５３】
２・・・風呂蓋
６、２６・・・蓋部材
８、２８・・・骨
１４・・・外縁
２４・・・組み立てセット
３０・・・両面テープ
３２・・・折れ目
【図１】
2010000121.tif 000003
【図２】
2010000121.tif 000004
【図３】
2010000121.tif 000005